(57)【特許請求の範囲】
【請求項１】
ディスクプレーヤ内に弾性支持されたフローティング部を固定するロック位置と、固定状態を解除する解放位置との間を軸を中心として回動可能なロック部材を備えたディスクプレーヤのフローティングロック機構において、
前記ディスクプレーヤ内に、ロック位置にある前記ロック部材に当接することにより、前記フローティング部の移動を規制するストッパ部を有し、
前記ストッパ部は、前記ロック部材の回動軸に対して外周側の端部と当接する位置に設けられるとともに、前記ロック部材の回動外側に向けてテーパ状の傾斜面を備えたことを特徴とするフローティングロック機構。
【請求項２】
前記フローティング部には、前記ロック部材をロック位置と解放位置との間で駆動するシフトレバーが設けられ、前記シフトレバーには、前記ロック部材がロック位置にあるときに、前記ディスクプレーヤ内に当接して前記フローティング部の移動を規制する規制部が設けられていることを特徴とする請求項１記載のフローティングロック機構。
【発明の詳細な説明】
【０００１】
【発明の属する技術分野】
本発明は、ディスクプレーヤ内にフローティング支持されたディスク再生部に対して、ディスクの搬入搬出を行う際に、ディスク再生部のフローティング状態をロックするフローティングロック機構に関する。
【０００２】
【従来の技術】
一般に、ＣＤやＤＶＤ等の円盤状記録媒体（以下、ディスクと呼ぶ）の再生を行うディスクプレーヤは、シャーシの内部にターンテーブルや光学ピックアップを備えたディスク再生部と、ローディングローラによってディスクプレーヤ内へのディスクの搬入搬出を行うディスクローデング機構と、ターンテーブル上にディスクを装着するディスククランプ機構等を備えている。
【０００３】
特に、車載用のディスクプレーヤの場合、再生時における音飛びを防ぐために、シャーシ及びエスカッションとその内部に設けられたディスク再生部とは、別部材によって構成され、両者をダンパーやスプリングといった弾性部材によって浮いたフローティング状態とすることにより、車両の走行時の振動がシャーシやエスカッションから内部のディスク再生部に伝わることがないように工夫されている。
【０００４】
また、かかるディスクプレーヤは、ディスクローディング機構におけるローディングローラをディスクに圧着させてディスクの搬入搬出を行う際に、エスカッション側に設けられたディスク挿入口とディスク再生部とを位置決めするため、ディスク再生部をシャーシやエスカッション側に固定するフローティングロック機構が設けられている。
【０００５】
このように、ディスクの搬入搬出時には、ディスクローディング機構に対してローディングローラをディスクに圧着させる動作が要求されるとともに、フローティングロック機構に対してディスク再生部（フローティング部）のフローティング状態をロックする動作が要求される。そして、ディスクの再生時には、ローディング機構に対してローディングローラをディスクから解放する動作が要求されるとともに、フローティングロック機構に対してディスク再生部（フローティング部）のロックを解除する動作が要求される。
【０００６】
【発明が解決しようとする課題】
ところで、従来のフローティングロック機構においては、フローティング部に対して、ロック部材を係脱することによって、ロック及びロック解除を行なっている。このようなロック部材によるロックは、小さな力が加えられたときには、ロックを維持していることが望ましい。しかし、ロック部材と、これを駆動する部材に、外部から大きな衝撃が加わった場合、この衝撃が可動部に直接伝達してしまい、可動部における衝撃が加えられていない箇所まで変形する可能性があった。
【０００７】
本発明は、上記のような従来技術の問題点を解決するために提案されたものであり、その目的は、平常時にはロックを維持し、大きな衝撃が加わった場合には、ロックを一時的に解除しながら衝撃を吸収し、再びロック状態に復帰することによって、部材の変形等が生じないフローティングロック機構を提供することにある。
【０００８】
【課題を解決するための手段】
上記の目的を達成するため、本発明は、ディスクプレーヤ内に弾性支持されたフローティング部を固定するロック位置と、固定状態を解除する解放位置との間を軸を中心として回動可能なロック部材を備えたディスクプレーヤのフローティングロック機構において、以下のような技術的特徴を有する。
【０００９】
すなわち、請求項１記載の発明は、前記ディスクプレーヤ内に、ロック位置にある前記ロック部材に当接することにより、前記フローティング部の移動を規制するストッパ部を有し、前記ストッパ部は、前記ロック部材の回動軸に対して外周側の端部と当接する位置に設けられるとともに、前記ロック部材の回動外側に向けてテーパ状の傾斜面を備えたことを特徴とする。以上のような請求項１記載の発明では、ディスク挿入時等の小さな力が加わった時には、ストッパ部によってフローティング部の移動が規制されるとともに、ロック部材によるロックを維持する。一方、大きな衝撃が加わった場合には、ロック部材が、ストッパ部の傾斜面によってロックを一時的に解除しながら衝撃を吸収し、再びロック状態に復帰するので、部材の変形等が生じない。
【００１０】
請求項２記載の発明は、請求項１記載のフローティングロック機構において、前記フローティング部には、前記ロック部材をロック位置と解放位置との間で駆動するシフトレバーが設けられ、前記シフトレバーには、前記ロック部材がロック位置にあるときに、前記ディスクプレーヤ内に当接して前記フローティング部の移動を規制する規制部が設けられていることを特徴とする。
以上のような請求項２記載の発明では、ディスク挿入時等の小さな力が加わった時には、ロック部材に当接したストッパ部とともに、ディスクプレーヤ内に当接したシフトレバーの規制部によって、フローティング部の移動がより確実に規制される。
【００１１】
【発明の実施の形態】
本発明の実施の形態（以下、実施形態とする）を図１〜８を参照して以下に説明する。
（１）実施形態の構成
１−１．フローティング部
まず、図１に示すように、フローティング部１は、ディスクプレーヤのシャーシＣ内に、弾性部材から成る複数のダンパー及びスプリング（図示せず）によってフローティング支持されたプレート１ｂと、このプレート１ｂ上に設けられたディスク再生用の部材によって構成される。このディスク再生用の部材は、図示はしないが、ディスクの情報を読み取る光学ピックアップ、光学ピックアップをディスクの径方向に移動させるピックアップ送り機構、ディスクが載置され、スピンドルモータによって回転するターンテーブル等を有している。
【００１２】
１−２．ディスクローディング機構
フローティング部１には、図１及び図２に示すように、ディスク挿入口側にローディングローラ２とアッパーガイド３及びロワーガイド４が設けられている。ローディングローラ２は、モータで作動する駆動機構（図示せず）によって回動可能に設けられている。アッパーガイド３は、ローディングローラ２との間でディスクを挟持して、その移動をガイドする部材である。ロワーガイド４は、アッパーガイド３の下部に配設され、ディスクをローディングローラ２へ導くガイドである。
【００１３】
そして、ローディングローラ２は、ディスクに圧着してアッパーガイド３との間でディスクを搬送するディスクローディング位置（図２における上方）と、下方に退避してディスクを解放する解放位置（図２における下方）との間を移動可能に設けられている。なお、ロワーガイド４も、ローディングローラ２の移動とともに回動可能に設けられている。なお、ローディングローラ２を回動させる駆動機構は、図示しないセンサによってディスク挿入が検知された時と、ユーザによるボタン操作等によってディスク排出指示が入力された時に、それぞれ逆方向に作動するように構成されている。
【００１４】
１−３．ロックアーム
フローティング部１には、図２及び図４に示すように、アッパーガイド３の左右の端部に対応する位置に、それぞれ左右対称にロックアーム１０，１１が設けられている。このロックアーム１０，１１は、下側の端部と上側の端部に一つづつ形成されたロック爪１０ａ，１０ｂ，１１ａ，１１ｂがシャーシＣの一部に当接するロック位置と、ロック爪１０ａ，１０ｂ，１１ａ，１１ｂがシャーシＣから離れる解放位置との間で、軸部１０ｃ，１１ｃを中心に回動可能に設けられている。
【００１５】
なお、シャーシＣにおいて、左右のロックアーム１０，１１のロック爪１０ａ，１１ａが当接する箇所には、下側当接部Ａ１，Ａ２が設けられ、ロック爪１０ｂ，１１ｂが当接する箇所には、上側当接部Ｂ１，Ｂ２が設けられている。下側当接部Ａ１，Ａ２には、ディスク挿入側（前方）に、ロック爪１０ａ，１１ａが係止される傾斜面を有している。さらに、シャーシＣの左側の下側当接部Ａ１は、図６に示すように、その後方に、ロックアーム１０の先端部が当接するストッパ部Ｘを有している。このストッパ部Ｘには、傾斜部（テーパ部）が設けられている。この傾斜部の角度は自由に設定可能であるが、過衝撃時に、ロックアーム１０の先端が逃げる角度とすることが望ましい。例えば、２５°程度とすることが考えられる。
【００１６】
以上のようなロックアーム１０，１１の一端部（図２における左端部）には、トーションスプリング６の一端が取り付けられている。トーションスプリング６の他端はフローティング部１に取り付けられ、ロックアーム１０，１１がロック位置に付勢されるように構成されている。
【００１７】
また、ロックアーム１１には、ローディングローラ２の左右の端部がスライド移動可能に挿通された穴若しくは溝であるローラ用スライド部１１ｄが設けられている。さらに、ロックアーム１０，１１には、ロワーガイド４の左右の端部に形成された突起４ａが、スライド移動可能に挿通された穴若しくは溝であるガイド用スライド部１０ｅ，１１ｅが形成されている。
【００１８】
１−４．シフトレバー
フローティング部１の右側部には、図２に示すように、シフトレバー９が、図示しない駆動機構によって、前後にスライド移動可能に設けられている。このシフトレバー９には、ロックアーム１１の他端部（図２における右端部）に設けられた突起１１ｆが、スライド移動可能に挿通された穴若しくは溝である傾斜カム部９ｂが形成されている。この傾斜カム部９ｂは、シフトレバー９が前方へ移動すると、トーションスプリング６の付勢力に抗してロックアーム１０，１１を回動させて、ロック爪１０ａ，１０ｂ，１１ａ，１１ｂをシャーシＣから解放させるとともに、ローディングローラ２及びロワーガイド４をディスクから離れる方向に移動させるように構成されている。さらに、シフトレバー９の端部（図２における右端部）には、ロックアーム１０，１１がロック位置にあるときに、シャーシＣの一部に当接してロックの役割の一部を担う規制部９ｃが設けられている。
【００１９】
なお、シフトレバー９を移動させる駆動機構は、図示しないセンサによって、ディスク中心がターンテーブルに合う位置に来たことが検知された時と、ユーザのボタン操作等によりディスク排出指示が入力された時に、それぞれ逆方向に作動するように構成されている。
【００２０】
（２）実施形態の作用
２−１．初期状態
以上のような本実施形態の作用を以下に説明する。まず、ディスク未挿入の初期状態においては、図２及び図４に示すように、ロックアーム１０，１１は、トーションスプリング６の付勢力によって、ロック爪１０ａ，１１ａが下側当接部Ａ１，Ａ２に当接し、ロック爪１０ｂ，１１ｂは上側当接部Ｂ１，Ｂ２に当接しているロック位置にあり、ローディングローラ２はディスクローディング位置にある。
【００２１】
２−２．ディスク挿入時の加重
この状態から、図７に示すように、ディスク挿入口からディスクＤを挿入すると、その際に、ディスクＤの先端とアッパーガイド３の先端が当たって、フローティング部１に後方へ押し込む小さな力が加わる可能性がある。このとき、シフトレバー９の規制部９ｃが、シャーシＣの一部に当接しており、ロックアーム１０の先端部が、ストッパ部Ｘに当接しているので、フローティング部１の後方移動が防止される。
【００２２】
２−３．衝撃時の加重
また、落下等により大きな衝撃が加わった場合には、フローティング部１が、それ自体の重みで後方へずれようとする。このとき、図８（Ａ）（Ｂ）に示すように、ロックアーム１０が回動し、その先端が、ストッパ部Ｘの傾斜に沿って移動することにより、ロックを一時的に解除しながら、ロックアーム１０に連結されたロワーガイド４が弾性変形することによって、衝撃が吸収され、その後、ロックアーム１０が元の位置に復帰する。
【００２３】
２−４．ディスク再生
ディスクＤが挿入されると、これがセンサによって検知され、ローディングローラ２が回動を開始する。ディスクＤは、ローディングローラ２とアッパーガイド３との間に挟持されるとともに、ローディングローラ２の回転によって引き込まれ、ターンテーブル上まで搬送される。そして、センサによって、ディスクＤの中心がターンテーブルに合う位置に来たことが検知されると、図示しないクランプ機構によって、ディスクＤの中心がターンテーブルにクランプされる。
【００２４】
一方、シフトレバー９の前方への移動に従って、図３及び図５に示すように、傾斜カム部９ｂが突起１１ｆを付勢して、ロックアーム５がトーションスプリング６の付勢力に抗して回動するので、ロック爪１０ａ，１０ｂ，１１ａ，１１ｂが、下側当接部Ａ１，Ａ２及び上側当接部Ｂ１，Ｂ２を解放するとともに、ローラ用スライド部１１ｄ及びガイド用スライド部１０ｅ，１１ｅに沿って、ローディングローラ２及びロワーガイド４がディスクから離れる方向に移動する。
【００２５】
以上のように、ターンテーブル上にディスクが装着された後に、ターンテーブルによって回転するディスクに対して光学ピックアップによる再生が行われる。そして、ディスク再生後、ユーザによるボタン操作等によってディスク排出指示が入力されると、クランプ機構によってディスクＤがターンテーブルから解放される。
【００２６】
このとき、ローディングローラ２も回動を開始し、シフトレバー９の後方移動によって、その傾斜カム部９ｂが突起１１ｆを上方に付勢するので、図２及び図４に示すように、ロックアーム５が回動して、ロック爪１０ａ，１０ｂ，１１ａ，１１ｂが、下側当接部Ａ１，Ａ２及び上側当接部Ｂ１，Ｂ２に当接するロック位置に来る。同時に、ローラ用スライド部１１ｄ及びガイド用スライド部１０ｅ，１１ｅに沿って、ローディングローラ２及びガイド用スライド部１０ｅ，１１ｅが上方に移動し、ディスクがローディングローラ２とアッパーガイド３によって挟持されるので、回転するローディングローラ２によってディスクが排出される。
【００２７】
（３）実施形態の効果
以上のような本実施形態によれば、ディスク挿入時等に、フローティング部１に小さな力が加えられた時には、ロックが維持される一方、衝撃等によって大きな力が加えられた時には、ロックを一時的に解除しながら、衝撃を吸収し、再びロック状態に復帰させることができる。従って、落下衝撃時などに、可動部への衝撃を和らげ、変形、破損を防ぐことができるとともに、平常時におけるロックを維持することができる。
【００２８】
（４）他の実施形態
本発明は、上記の実施の形態に限定されるものではなく、各部材の材質、大きさ、形状、数量等は適宜変更可能である。例えば、ローディングローラ２を回動させる駆動機構、シフトレバー９を移動させる駆動機構等の構成は、周知のあらゆる機構を適用することができる。
【００２９】
また、ロックアーム１０，１１やシフトレバー９の形状も、上記の実施の形態で示したものには限定されない。また、ローディングローラ２にディスクに対する圧着力とロックアーム１０，１１によるロックの付勢力とを与える付勢部材は、トーションスプリング６には限定されず、他の形状のバネであってもよい。さらに、本発明が適用されるディスクプレーヤは、再生専用のものであっても、記録再生用のものであってもよく、平板状の記録媒体のための装置であれば、どのような種類や大きさの記録媒体を対象とする装置であってもよい。
【００３０】
【発明の効果】
以上説明したように本発明によれば、平常時にはロックを維持し、大きな衝撃が加わった場合には、ロックを一時的に解除しながら衝撃を吸収し、再びロック状態に復帰することによって、部材の変形等が生じないフローティングロック機構を提供する。
【図面の簡単な説明】
【図１】本発明のフローティングロック機構の一つの実施形態を示す分解斜視図である。
【図２】図１の実施形態のフローティングロック時を示す右透視側面図である。
【図３】図１の実施形態のフローティングロック解除時を示す右透視側面図である。
【図４】図１の実施形態のフローティングロック時を示す左透視側面図である。
【図５】図１の実施形態のフローティングロック解除時を示す左透視側面図である。
【図６】図４のロック部を明示した図である。
【図７】図１の実施形態のディスク挿入時を示す平面図である。
【図８】図１の実施形態のフローティングロック時（Ａ）、過衝撃時（Ｂ）を示す左透視側面図である。
【符号の説明】
１…フローティング部
１ｂ…プレート
２…ローディングローラ
３…アッパーガイド
４…ロワーガイド
４ａ，５ｆ…突起
６…トーションスプリング
７…クランパーアームプレート
７ａ…クランパー
８…引張コイルバネ
９…シフトレバー
９ｂ…傾斜カム部
９ｃ…規制部
１０，１１…ロックアーム
１０ａ，１０ａ，１１ａ，１０ｂ…ロック爪
１０ｃ，１１ｃ…軸部
１１ｄ…ローラ用スライド部
１１ｆ…突起
１０ｅ，１１ｅ…ガイド用スライド部
Ａ１，Ａ２…下側当接部
Ｂ１，Ｂ２…上側当接部
Ｃ…シャーシ
Ｘ…ストッパ部
Ｄ…ディスク
【図１】
0003898550.tif 000002
【図２】
0003898550.tif 000003
【図３】
0003898550.tif 000004
【図４】
0003898550.tif 000005
【図５】
0003898550.tif 000006
【図６】
0003898550.tif 000007
【図７】
0003898550.tif 000008
【図８】
0003898550.tif 000009